(57)【要約】【課題】生物処理槽の被処理水である排水と汚泥との混合水の酸素利用速度係数を演算するために必要な汚泥濃度の測定器であるＭＬＳＳ計に蛭が付着することで起こる誤測定を防止し、酸素利用速度係数を正確に演算する水質測定装置を提供することを目的とする。【解決手段】測定槽１１７に被処理水を供給している時にはＭＬＳＳ計１２５の検知部近傍に水流が発生し、蛭が付着しない（あるいは付着した蛭が剥離する）のでこの時に被処理水のＭＬＳＳを測定する。【選択図】図１
2009080071.tif 000002
【特許請求の範囲】
【請求項１】
被処理水である排水と汚泥との混合水中の有機物を微生物により酸化分解する生物処理槽の水質を測定する水質測定装置において、前記生物処理槽にて処理されている被処理水を流入させ一定量貯留する測定槽と、前記測定槽に被処理水を流入させる被処理水流入手段と、前記測定槽の被処理水を曝気する曝気手段と、前記測定槽の被処理水の溶存酸素濃度を測定する溶存酸素濃度センサと、前記測定槽の被処理水の汚泥濃度を測定するＭＬＳＳ計と、制御装置を備え、前記制御装置は、前記生物処理槽にて処理されている被処理水を前記測定槽に流入させて一定量貯留し、貯留した測定槽の被処理水を一定時間曝気した後、曝気を停止させて一定時間貯留後排出する被処理水導出入切換手段と、貯留した被処理水の曝気停止後の溶存酸素濃度センサ測定値を記憶する溶存酸素濃度記憶手段と、前記溶存酸素濃度記憶手段に記憶された溶存酸素濃度センサ測定値の変化度合いにより被処理水の酸素利用速度を演算する酸素利用速度演算手段と、前記酸素利用速度演算手段で演算した酸素利用速度と前記ＭＬＳＳ計の測定値から被処理水の酸素利用速度係数を演算する酸素利用速度係数演算手段とから構成され、前記酸素利用速度係数を演算するためのＭＬＳＳ計による汚泥濃度の測定は前記測定槽に流入させた被処理水が前記ＭＬＳＳ計の検出部近傍において水流を発生させて行うことを特徴とする水質測定装置。
【請求項２】
被処理水流入手段により一定量の被処理水を測定槽に流入させて水流を発生させることを特徴とする請求項１記載の水質測定装置。
【請求項３】
被処理水流入手段により一定量の被処理水を測定槽に流入させる流入口をＭＬＳＳ計の検出部の下面方向に設けたことを特徴とする請求項２記載の水質測定装置。
【請求項４】
被処理水流入手段により一定量の被処理水を測定槽に流入させる流入口をＭＬＳＳ計の検出部の側面方向に設けたことを特徴とする請求項２記載の水質測定装置。
【請求項５】
曝気手段により測定槽に貯留した被処理水を曝気して水流を発生させることを特徴とする請求項１記載の水質測定装置。
【請求項６】
ＭＬＳＳ計の検出部は曝気手段の気泡噴出し口上方に位置させないことを特徴とする請求項５記載の水質測定装置。
【請求項７】
測定槽に貯留した被処理水を攪拌する攪拌手段を設け、攪拌手段により測定槽に貯留した被処理水を攪拌して水流を発生させることを特徴とする請求項１記載の水質測定装置。
【請求項８】
測定槽に貯留した被処理水を循環させる循環手段を設け、前記循環手段により前記測定槽に貯留した被処理水を循環させて水流を発生させることを特徴とする請求項１記載の水質測定装置。
【請求項９】
循環手段により測定槽に貯留した被処理水を循環させる入口をＭＬＳＳ計の検出部の下面方向に設けたことを特徴とする請求項８記載の水質測定装置。
【請求項１０】
循環手段により測定槽に貯留した被処理水を循環させる入口をＭＬＳＳ計の検出部の側面方向に設けたことを特徴とする請求項８記載の水質測定装置。
【請求項１１】
測定槽を振動させる振動手段を設け、前記振動手段により測定槽を振動させて水流を発生させることを特徴とする請求項１記載の水質測定装置。
【請求項１２】
ＭＬＳＳ計を振動させる振動手段を設け、前記振動手段で前記ＭＬＳＳ計を振動させることにより前記ＭＬＳＳ計の検知部近傍において相対的に水流を発生させることを特徴とする請求項１記載の水質測定装置。
【請求項１３】
振動手段はＭＬＳＳ計を回転させることを特徴とする請求項１２記載の水質測定装置。
【請求項１４】
振動手段はＭＬＳＳ計を上下動させることを特徴とする請求項１２記載の水質測定装置。
【請求項１５】
振動手段はＭＬＳＳ計に水流を当ててＭＬＳＳ計を振動させることを特徴とする請求項１２記載の水質測定装置。
【請求項１６】
制御装置はＭＬＳＳ計の測定値を記憶するＭＬＳＳ計測定値記憶手段を備え、ＭＬＳＳ計の測定値と前記ＭＬＳＳ計測定値記憶手段に記憶された値の偏差があらかじめ定められた値以下の場合にのみＭＬＳＳ計の測定値を前記ＭＬＳＳ計測定値記憶手段に記憶し、酸素利用速度係数演算手段は、酸素利用速度演算手段で演算した酸素利用速度と前記ＭＬＳＳ計測定値記憶手段に記憶された記憶値とから酸素利用速度係数を演算することを特徴とする請求項１記載の水質測定装置。
【発明の詳細な説明】
【技術分野】
【０００１】
本発明は、工場や他の施設などから排出される被処理水（排水と汚泥の混合水）の水中の有機物を微生物により酸化分解する生物処理槽の水質を測定する水質測定装置に関するものである。
【背景技術】
【０００２】
従来、生物処理槽の被処理水である排水と汚泥との混合水の水質を測定する方法として、生物処理槽に直接、溶存酸素濃度センサを位置させて溶存酸素濃度（以下ＤＯと記す）を測定するもの、ＤＯの減少速度から酸素利用速度（以下Ｒｒと記す）を演算するものがあるが、曝気による被処理水の流動化よって溶存酸素濃度センサの測定値が不安定となり正確な値を測定することが困難である。
【０００３】
また比較的大きい生物処理槽に溶存酸素濃度センサを設置することが必要で、メンテナンスも含め作業性等に課題がある。さらに曝気による多量の被処理水の流動化によって被処理水中の異物等が溶存酸素濃度センサに付着しやすく、正確な値を測定することが困難となる課題がある。
【０００４】
前記課題を解決するために、生物処理槽から被処理水の一部を別設の測定槽に取り込み酸素利用速度を演算するものがある。
【０００５】
この例として、溶存酸素濃度センサを備えた測定槽内に被処理水を導入し、測定槽内を曝気することによりＤＯを所定値まで高めておき、その後曝気を停止して、溶存酸素濃度センサの測定値の減少速度に基づいてＲｒを演算することで被処理水の水質を測定するものがあるが、被処理水の汚泥濃度（以下ＭＬＳＳと記す）が変化する場合は水質を正確に測定しているとはいえない（例えば特許文献１参照）。
【０００６】
前記課題を解決するために、Ｒｒを被処理水のＭＬＳＳで除した酸素利用速度係数（以下Ｋｒと記す）を演算することで被処理水の水質を測定するものがある（詳細は実施例で説明）。
【特許文献１】特開平２−１２２２６２号公報
【発明の開示】
【発明が解決しようとする課題】
【０００７】
しかしながら、前記従来のＫｒを演算する水質測定装置は、被処理水のＭＬＳＳを正確に測定できないことがあり、その結果Ｋｒを正確に演算できないという課題がある。図１１はある排水処理施設にＫｒを演算する水質測定装置を設置し、被処理水のＭＬＳＳ、Ｒｒ、Ｋｒを１時間間隔で測定・演算し、その変化を数日間に渡って記録したグラフである。
【０００８】
図１１のグラフからわかるようにＲｒの演算値は前回値から大きくかけ離れることはないが、ＭＬＳＳの測定値は度々前回値から大きくかけ離れることがあり、その結果Ｋｒの演算値も度々前回値から大きくかけ離れることがある。
【０００９】
被処理水のＭＬＳＳは数週間以上のスパンで測定すると変動するが、１日のスパンで測定するとほぼ一定となる。しかしながら、図１１では１時間のスパンで見ても大きく変動していることがある。
【００１０】
これは、被処理水のＭＬＳＳがうまく測定できないことがあることを示している。
【００１１】
この原因を調査した所、ＭＬＳＳ計の検出部に蛭が付着し、これがノイズとなりＭＬＳＳ計の誤測定が発生していることが判明した。
【００１２】
本発明は上記従来の課題を解決するもので、ＭＬＳＳ計の検出部に蛭が付着することを防止（あるいは付着した蛭を剥離）し、ＭＬＳＳ計の誤測定を防ぐことでＫｒを正確に演算することができる水質測定装置を提供することを目的とする。
【００１３】
また、ＭＬＳＳ計の検出部に付着した蛭を剥離できずに、ＭＬＳＳ計が誤測定した場合でもＫｒを正確に演算することができる水質測定装置を提供することを目的とする。
【課題を解決するための手段】
【００１４】
被処理水である排水と汚泥との混合水中の有機物を微生物により酸化分解する生物処理槽の水質を測定する水質測定装置において、前記生物処理槽にて処理されている被処理水を流入させ一定量貯留する測定槽と、前記測定槽に被処理水を流入させる被処理水流入手段と、前記測定槽の被処理水を曝気する曝気手段と、前記測定槽の被処理水の溶存酸素濃度を測定する溶存酸素濃度センサと、前記測定槽の被処理水の汚泥濃度を測定するＭＬＳＳ計と、制御装置を備え、前記制御装置は、前記生物処理槽にて処理されている被処理水を前記測定槽に流入させて一定量貯留し、貯留した測定槽の被処理水を一定時間曝気した後、曝気を停止させて一定時間貯留後排出する被処理水導出入切換手段と、貯留した被処理水の曝気停止後の溶存酸素濃度センサ測定値を記憶する溶存酸素濃度記憶手段と、前記溶存酸素濃度記憶手段に記憶された溶存酸素濃度センサ測定値の変化度合いにより被処理水の酸素利用速度を演算する酸素利用速度演算手段と、前記酸素利用速度演算手段で演算した酸素利用速度と前記ＭＬＳＳ計の測定値から被処理水の酸素利用速度係数を演算する酸素利用速度係数演算手段とから構成され、前記酸素利用速度係数を演算するためのＭＬＳＳ計による汚泥濃度の測定は前記測定槽に流入させた被処理水が前記ＭＬＳＳ計の検出部近傍において水流を発生させて行うことを特徴とする水質測定装置としたものである。
【発明の効果】
【００１５】
本発明により、生物処理槽の被処理水である排水と汚泥との混合水の汚泥濃度を正確に測定し、酸素利用速度係数を正確に演算することができる水質測定装置を提供することができる。
【発明を実施するための最良の形態】
【００１６】
本発明は、従来の水質測定装置の「ＭＬＳＳ誤測定によりＫｒを正確に演算することができない」という課題を解決するために、
（１）いかにしてＭＬＳＳ計の検出部に蛭が付着することを防ぐか。
（２）ＭＬＳＳ計の検出部に付着した蛭をいかにして剥離させるか。
（３）蛭が付着してＭＬＳＳ計が誤測定してもＫｒを正しく演算できないか。    
の３点に着目している。
【００１７】
図１２は、水質測定槽が被処理水で満たされている時のＭＬＳＳ計の測定値の変化を一分間隔で５周期（５時間）にわたり記録したグラフである。
【００１８】
図１２のグラフからわかることは
（１）測定槽に被処理水を供給している時はＭＬＳＳ計の検出部近傍に水流があるので蛭は付着せずＭＬＳＳが正確に測れるが、測定槽曝気時およびＲｒ、Ｋｒ演算時はＭＬＳＳ計の検出部近傍にはほとんど水流がないので蛭が付着し、ＭＬＳＳの測定値が不安定になったり、大きな値を示す時がある。
（２）測定槽に被処理水を供給してＭＬＳＳ計の検出部近傍に水流がある時でも蛭が付着し、ＭＬＳＳ計の測定値は大きな値を示す時がある。
（３）ＭＬＳＳの値が正しく測定されたときは、その値は数時間ではほとんど変化しない。
ということである。
【００１９】
本発明は、これらの点に着目し、
（１）ＭＬＳＳ計の検出部近傍に水流を作り、蛭の付着を防止あるいは付着した蛭を剥離させＭＬＳＳ計の誤測定を防止する。
（２）水流は被処理水を流動させることでも、ＭＬＳＳ計を振動させることでも作ることができる。
（３）水流によっても蛭を剥離させることができずにＭＬＳＳ計が誤測定した場合は前回のＭＬＳＳ計の測定値で代用する。
という考え方で完成させた。
【００２０】
本発明の第１の実施の形態による水質測定装置は、被処理水である排水と汚泥との混合水中の有機物を微生物により酸化分解する生物処理槽の水質を測定する水質測定装置において、前記生物処理槽にて処理されている被処理水を流入させ一定量貯留する測定槽と、前記測定槽に被処理水を流入させる被処理水流入手段と、前記測定槽の被処理水を曝気する曝気手段と、前記測定槽の被処理水の溶存酸素濃度を測定する溶存酸素濃度センサと、前記測定槽の被処理水の汚泥濃度を測定するＭＬＳＳ計と、制御装置を備え、前記制御装置は、前記生物処理槽にて処理されている被処理水を前記測定槽に流入させて一定量貯留し、貯留した測定槽の被処理水を一定時間曝気した後、曝気を停止させて一定時間貯留後排出する被処理水導出入切換手段と、貯留した被処理水の曝気停止後の溶存酸素濃度センサ測定値を記憶する溶存酸素濃度記憶手段と、前記溶存酸素濃度記憶手段に記憶された溶存酸素濃度センサ測定値の変化度合いにより被処理水の酸素利用速度を演算する酸素利用速度演算手段と、前記酸素利用速度演算手段で演算した酸素利用速度と前記ＭＬＳＳ計の測定値から被処理水の酸素利用速度係数を演算する酸素利用速度係数演算手段とから構成され、前記酸素利用速度係数を演算するためのＭＬＳＳ計による汚泥濃度の測定は前記測定槽に流入させた被処理水が前記ＭＬＳＳ計の検出部近傍において水流を発生させて行うことを特徴としたものである。
【００２１】
本実施の形態によれば、ＭＬＳＳ計の検出部近傍において水流を持つようにすることで蛭の付着を防止し、ＭＬＳＳの誤測定を防止してＫｒを正確に演算することができる。
【００２２】
本発明の第２の実施の形態は、第１の実施の形態による水質測定装置において、被処理水流入手段により一定量の被処理水を測定槽に流入させて水流を発生させることを特徴としたものである。
【００２３】
本実施の形態によれば、新たな機器を追加することなしに測定槽の被処理水がＭＬＳＳ計の検出部近傍において水流を持つようにすることができる。
【００２４】
本発明の第３の実施の形態は、第２の実施の形態による水質測定装置において、被処理水流入手段により一定量の被処理水を測定槽に流入させる流入口をＭＬＳＳ計の検出部の下面方向に設けたことを特徴としたものである。
【００２５】
本実施の形態によれば、ＭＬＳＳ計の検出部近傍における水流を効果的に発生させることができる。
【００２６】
本発明の第４の実施の形態は、第２の実施の形態による水質測定装置において、被処理水流入手段により一定量の被処理水を測定槽に流入させる流入口をＭＬＳＳ計の検出部の側面方向に設けたことを特徴としたものである。
【００２７】
本実施の形態によれば、ＭＬＳＳ計の検出部近傍における水流を効果的に発生させることができる。
【００２８】
本発明の第５の実施の形態は、第１の実施の形態による水質測定装置において、曝気手段により測定槽に貯留した被処理水を曝気して水流を発生させることを特徴としたものである。
【００２９】
本実施の形態によれば、被処理水を曝気により攪拌することで水流を発生させ測定槽の被処理水がＭＬＳＳ計の検出部近傍において水流を持つようにすることができる。
【００３０】
本発明の第６の実施の形態は、第５の実施の形態による水質測定装置において、ＭＬＳＳ計の検出部は曝気手段の気泡噴出し口上方に位置させないことを特徴としたものである。
【００３１】
本実施の形態によれば、気泡によるＭＬＳＳの誤測定を防止することができる。
【００３２】
本発明の第７の実施の形態は、第１の実施の形態による水質測定装置において、測定槽に貯留した被処理水を攪拌する攪拌手段を設け、攪拌手段により測定槽に貯留した被処理水を攪拌して水流を発生させることを特徴としたものである。
【００３３】
本実施の形態によれば、被処理水を攪拌することで水流を発生させ測定槽の被処理水がＭＬＳＳ計の検出部近傍において水流を持つようにすることができる。
【００３４】
本発明の第８の実施の形態は、第１の実施の形態による水質測定装置において、測定槽に貯留した被処理水を循環させる循環手段を設け、前記循環手段により前記測定槽に貯留した被処理水を循環させて水流を発生させることを特徴としたものである。
【００３５】
本実施の形態によれば、被処理水を循環させることで水流を発生させ測定槽の被処理水がＭＬＳＳ計の検出部近傍において水流を持つようにすることができる。
【００３６】
本発明の第９の実施の形態は、第８の実施の形態による水質測定装置において、循環手段により測定槽に貯留した被処理水を循環させる入口をＭＬＳＳ計の検出部の下面方向に設けたことを特徴としたものである。
【００３７】
本実施の形態によれば、ＭＬＳＳ計の検出部近傍における水流を効果的に発生させることができる。
【００３８】
本発明の第１０の実施の形態は、第８の実施の形態による水質測定装置において、循環手段により測定槽に貯留した被処理水を循環させる入口をＭＬＳＳ計の検出部の側面方向に設けたことを特徴としたものである。
【００３９】
本実施の形態によれば、ＭＬＳＳ計の検出部近傍における水流を効果的に発生させることができる。
【００４０】
本発明の第１１の実施の形態は、第１の実施の形態による水質測定装置において、測定槽を振動させる振動手段を設け、前記振動手段により測定槽を振動させて水流を発生させることを特徴としたものである。
【００４１】
本実施の形態によれば、測定槽が振動することで被処理水を攪拌し水流を発生させ測定槽の被処理水がＭＬＳＳ計の検出部近傍において水流を持つようにすることができる。
【００４２】
本発明の第１２の実施の形態は、第１の実施の形態による水質測定装置において、ＭＬＳＳ計を振動させる振動手段を設け、前記振動手段で前記ＭＬＳＳ計を振動させることにより前記ＭＬＳＳ計の検知部近傍において相対的に水流を発生させることを特徴としたものである。
【００４３】
本実施の形態によれば、ＭＬＳＳ計が振動することで測定槽の被処理水がＭＬＳＳ計の検出部近傍において相対的に水流を持つようにすることができる。
【００４４】
本発明の第１３の実施の形態は、第１２の実施の形態による水質測定装置において、振動手段はＭＬＳＳ計を回転させることを特徴としたものである。
【００４５】
本実施の形態によれば、ＭＬＳＳ計が回転することで測定槽の被処理水がＭＬＳＳ計の検出部近傍において相対的に水流を持つようにすることができる。
【００４６】
本発明の第１４の実施の形態は、第１２の実施の形態による水質測定装置において、振動手段はＭＬＳＳ計を上下動させることを特徴としたものである。
【００４７】
本実施の形態によれば、ＭＬＳＳ計が上下動することで測定槽の被処理水がＭＬＳＳ計の検出部近傍において相対的に水流を持つようにすることができる。
【００４８】
本発明の第１５の実施の形態は、第１２の実施の形態による水質測定装置において、振動手段はＭＬＳＳ計に水流を当ててＭＬＳＳ計を振動させることを特徴としたものである。
【００４９】
本実施の形態によれば、水流によりＭＬＳＳ計が振動させることで測定槽の被処理水がＭＬＳＳ計の検出部近傍において相対的な水流を持つようにすることができる。
【００５０】
本発明の第１６の実施の形態は、第１の実施の形態による水質測定装置において、制御装置はＭＬＳＳ計の測定値を記憶するＭＬＳＳ計測定値記憶手段を備え、ＭＬＳＳ計の測定値と前記ＭＬＳＳ計測定値記憶手段に記憶された値の偏差があらかじめ定められた値以下の場合にのみＭＬＳＳ計の測定値を前記ＭＬＳＳ計測定値記憶手段に記憶し、酸素利用速度係数演算手段は、酸素利用速度演算手段で演算した酸素利用速度と前記ＭＬＳＳ計測定値記憶手段に記憶された記憶値とから酸素利用速度係数を演算することを特徴としたものである。
【００５１】
本実施の形態によれば、ＭＬＳＳ計の測定値が前回の測定値と大きく異なる場合は誤測定と判断し、Ｋｒの演算に使用しなくすることができる。
【００５２】
以下、本発明による実施例の水質測定装置について図面を参照しながら説明する。
【００５３】
（実施の形態１）
図１は、Ｋｒを演算する水質測定装置１１４を生物処理手段１０１に接続した構成図である。なお、図中の矢印は排水の流れを示す。
【００５４】
まず、生物処理手段１０１の構成について説明する。流入管１０２から流量調節弁１０３を介して被処理水を生物処理槽１０４に流入させ、一定量貯留する。生物処理槽１０４の被処理水に供給管１０６、散気管１０７、散気管１０７に設けた多数の噴出孔１０８を介してブロア１０５からの空気を供給することで曝気が行われる。この曝気によって、生物処理槽１０４の被処理水の溶存酸素濃度を高めて好気性化し、微生物による分解を促進する。生物処理槽１０４で浄化処理された被処理水は、接続管１０９を介して沈殿槽１１０に供給され、汚泥分が沈降することでこれを分離し、排出管１１１、開閉弁１１２を介して排出し活性汚泥として生物処理槽１０４に返送する（図示なし）。汚泥分が除かれた処理水は、排出管１１３より排出し、放流または再利用するものである。
【００５５】
次に、水質測定装置１１４の構成について説明する。生物処理槽１０４に設置された被処理水流入手段であるポンプ１１５は生物処理槽１０４の被処理水を被処理水流入管１１６より測定槽１１７に流入させる。流入管１１６には流入する被処理水の流量を測定する流量計１１８と流入する被処理水の流量を調整する導入弁１１９が設けられている。
【００５６】
測定槽１１７の上部には、上部排出口１２０が、測定槽１１７の底部には底部排出口１２１が備えてあり、被処理水は上部排出口１２０からオーバーフローすることで排出管１２２を通り生物処理槽１０４へと還流させることができるようになっている。また、排出弁１２３を開くことで底部排出口１２１から排出管１２２を通り生物処理槽１０４へと還流させることができるようにもなっている。
【００５７】
また測定槽１１７には被処理水の溶存酸素濃度を測定する溶存酸素濃度センサ１２４と被処理水の汚泥濃度を測定するＭＬＳＳ計１２５が設けられている。
【００５８】
さらに測定槽１１７にはブロア１２６と多数の噴出孔を有した散気管１２７で構成された曝気手段が設けられており、ブロア１２６と散気管１２７は供給管１２８により接続されている。測定槽１１７の被処理水に対してはブロア１２６から供給管１２８、散気管１２７へと空気を供給することで曝気が行われる。
【００５９】
この曝気によって、測定槽１１７の被処理水の溶存酸素濃度を、生物処理槽１０４の処理水に近い性状の被処理水の溶存酸素濃度よりも高めるものである。
【００６０】
図１３は水質測定装置１１４の従来の制御装置１２９の構成を示すブロック図である。制御装置１２９は流量計１１８の測定値、溶存酸素濃度センサ１２４の測定値、ＭＬＳＳ計１２５の測定値を入力とし、ポンプ１１５へ運転／停止指令、導入弁１１９へ開度指令、排出弁１２３へ開／閉指令、ブロア１２６へ運転／停止指令を出力する。
【００６１】
また、制御装置１２９にはポンプ１１５への運転／停止指令、導入弁１１９への開度指令、排出弁１２３への開／閉指令、ブロア１２６への運転／停止指令を制御し、測定槽１１７に被処理水を流量計１１８の測定値が一定になるように流入させ、一定量貯留し、貯留した測定槽１１７の被処理水をブロア１２６で一定時間曝気した後、曝気を停止させて一定時間貯留後排出する被処理水導出入切換手段１３０と、曝気停止後に測定槽１１７に貯留された被処理水の溶存酸素濃度センサ１２４の測定値を一定時間間隔で記憶する溶存酸素濃度記憶手段１３１と、溶存酸素濃度記憶手段１３１に記憶された溶存酸素濃度センサ１２４の測定値の変化からＲｒの演算を行う酸素利用速度演算手段１３２と、酸素利用速度演算手段１３２で演算したＲｒとＭＬＳＳ計１２５の測定値からＫｒを演算する酸素利用速度係数演算手段１３３を有している。
【００６２】
次に従来の制御装置１２９の動作について説明する。
【００６３】
図１４は従来の制御装置１２９の制御動作を示すフローチャートである。
【００６４】
従来の制御装置１２９に電源が入れられると、被処理水導出入切換手段１３０は排出弁１２３を開き測定槽１１７内の被処理水を底部排出口１２１から生物処理槽１０４へと還流させ、終了後排出弁１２３を閉じる（Ｓ１０１）。
【００６５】
次に被処理水導出入切換手段１３０はポンプ１１５を運転し、生物処理槽１０４の被処理水を被処理水として測定槽１１７に流入させる。被処理水の流入流量は流量計１１８で測定され、予め定められた流入流量（２Ｌ／分）となるように被処理水導出入切換手段１３０は導入弁１１９の開度制御を行う（Ｓ１０２、Ｓ１０３）。
【００６６】
なお、被処理水の供給は測定槽１１７内の被処理水の性状と生物処理槽１０４の被処理水の性状が等しくなるように被処理水が上部排出口１２０からオーバーフローして生物処理槽１０４へと還流するまでの一定時間（１０分程度）行われる。
【００６７】
その後、被処理水導出入切換手段１３０はポンプ１１５を停止、導入弁１１９を閉じ、ブロア１２６を運転することで測定槽１１７に貯留された被処理水の溶存酸素濃度を高める。そして、一定時間（２０分程度）経過後被処理水導出入切換手段１３０はブロア１２６を停止する（Ｓ１０４〜Ｓ１０６）。
【００６８】
その後溶存酸素濃度記憶手段１３１は溶存酸素濃度を一定時間間隔（１０秒程度）で記憶する（Ｓ１０７）。
【００６９】
そして、一定時間（２０分程度）経過後酸素利用速度演算手段１３２は溶存酸素濃度記憶手段１３１に記憶した溶存酸素濃度からＲｒを演算する（Ｓ１０８）。
【００７０】
Ｒｒの演算は例えば、溶存酸素濃度センサ１２４の測定値が８．０ｍｇ／Ｌから３．０ｍｇ／Ｌに低下する時間Ｔを測定し、
Ｒｒ＝５／Ｔ
で演算する。
【００７１】
酸素利用速度係数演算手段１３３はＭＬＳＳ計１２５の測定値（ＭＬＳＳ）を読込み、
Ｋｒ＝Ｒｒ／ＭＬＳＳで
Ｋｒを演算する（Ｓ１０９、Ｓ１１０）。
【００７２】
そして、一定時間（１時間）経過後Ｓ１に戻り、同様の動作を周期的に繰り返す。
【００７３】
しかしながら従来の制御装置１２９では、ＭＬＳＳ計に蛭が付着し被処理水のＭＬＳＳを正確に測定できないことがあり、その結果Ｋｒを正確に演算できないという課題がある。
【００７４】
図２は上記課題を解決した本発明の制御装置１の構成を示すブロック図である。従来の制御装置１２９に対してＭＬＳＳ計１２５の測定値を記憶するＭＬＳＳ計測定値記憶手段２が追加されており、酸素利用速度係数演算手段３は入力および動作が異なっている。
【００７５】
酸素利用速度係数演算手段３は酸素利用速度演算手段１３２で演算されたＲｒとＭＬＳＳ計測定値記憶手段２に記憶された記憶値からＫｒを演算する。
【００７６】
一方、被処理水導出入切換手段１３０、溶存酸素濃度記憶手段１３１、酸素利用速度演算手段１３２の構成および動作については従来の制御装置１２９と同様であるので説明は省略する。
【００７７】
次に本発明の制御装置１の動作について説明する。
【００７８】
図３は本発明の制御装置１の制御動作を示すフローチャートである。
【００７９】
なお、従来の制御装置１２９と同様の動作については同一の符号を記し説明は省略する。
【００８０】
本実施例の制御動作が従来の制御動作と異なる点はＫｒ演算のために必要な被処理水のＭＬＳＳの測定方法およびＭＬＳＳの誤測定判断である。
【００８１】
被処理水のＭＬＳＳの測定は被処理水を測定槽１１７内に流入させることでＭＬＳＳ計１２５の検知部近傍に水流発生させることで検出部に蛭が付着しない状況（あるいは付着した蛭を剥離した状況）で行い、さらにＭＬＳＳ計１２５での測定値とＭＬＳＳ計測定値記憶手段２に記憶された記憶値とを比較しその差が一定値（１０００ｍｇ／Ｌ）以下の場合はＭＬＳＳが正しく測定されたと判断しＭＬＳＳ計１２５の測定値を記憶し、その差が一定値（１０００ｍｇ／Ｌ）以上の場合はＭＬＳＳ誤測定と判断し記憶しない処理を行い誤測定したＭＬＳＳ計測定値でＫｒの演算が行われることを防止している。
【００８２】
つまりＫｒの演算は酸素利用速度演算手段１３２で演算された酸素利用速度ＲｒをＭＬＳＳ計測定値記憶手段２に記憶された記憶値（被処理水のＭＬＳＳが正しく測定された時の値）で除すことで求めている（Ｓ１、Ｓ２、Ｓ３）。
【００８３】
このように、Ｋｒ演算のために必要な被処理水のＭＬＳＳ測定はＭＬＳＳ計１２５の検知部近傍において水流が発生している時に行うことでＭＬＳＳの誤測定の発生頻度を少なくし、さらに万が一誤測定された場合でも、前回のＭＬＳＳ測定値と比較することで誤測定であること認識し、Ｋｒの演算はＭＬＳＳ計測定値記憶手段２に記憶された記憶値（被処理水のＭＬＳＳが正しく測定された時の値）で行うのでＫｒを正確に演算することができる。
【００８４】
なお、被処理水の流入口であるが図１では測定槽１１７の上方となっているが、ＭＬＳＳ計１２５の検出部近傍に水流を効果的に発生させるには図４に示すようにＭＬＳＳ計の検出部の下に設けた導入管４から被処理水を流入させる構成にするか、図５に示すようにＭＬＳＳ計の検出部の側面に設けた導入管４から被処理水を流入させる構成にすればいい。
【００８５】
なお、本実施例ではポンプ１１５を運転し被処理水を測定槽１１７に供給している時にＭＬＳＳ計１２５の検知部近傍において水流が発生することを利用してＭＬＳＳ計１２５の検出部に蛭が付着しない状況（あるいは付着した蛭を剥離した状況）を作っているが、ＭＬＳＳ計１２５の検知部近傍において水流を発生させる方法としてはブロア１２６を運転することで測定槽１１７内に気泡を発生させて測定槽１１７の被処理水を攪拌することでも可能である。
【００８６】
但し、ブロア１２６を運転することで測定槽１１７内に発生する気泡がＭＬＳＳ計１２５の検知部近傍に滞留するとＭＬＳＳ誤測定の原因となるので、ブロア１２６を運転することで水流を起こす場合にはＭＬＳＳ計１２５はブロア１２６で発生する気泡がＭＬＳＳ計１２５の検知部近傍に滞留しないような位置に設置する必要がある。
【００８７】
また、図６に示すように測定槽１１７に攪拌手段としてミキサ５を設置し、ミキサ５を運転することで測定槽１１７の被処理水を攪拌してＭＬＳＳ計１２５の検知部近傍において水流を発生させることもできる。
【００８８】
なお、ミキサ５は測定槽１１７に貯留した被処理水のＤＯを測定するときに被処理水の汚泥が沈降しないように被処理水を攪拌する目的で用いてもよい。
【００８９】
また、測定槽１１７の被処理水を図７に示すように循環ポンプ６にて循環させることでＭＬＳＳ計１２５の検知部近傍において水流を発生させることもできる。
【００９０】
循環水の流入口は図４および図５に示したように被処理水の流入口と同様にＭＬＳＳ計１２５の検出部の下部あるいは側面に設けるのが望ましい。
【００９１】
さらに、測定槽１１７自体を振動させることでＭＬＳＳ計１２５の検知部近傍において水流を発生させることもできる。
【００９２】
また、見方を変えればＭＬＳＳ計１２５の検知部近傍において水流を発生させるのはＭＬＳＳ計１２５を振動させることでも可能である（被処理水が動くか、ＭＬＳＳ計が動くかの違い）。
【００９３】
ＭＬＳＳ計１２５を振動させる方法としては図８に示すようにＭＬＳＳ計１２５にモータ７を接続し、ＭＬＳＳ計を回転させる方法、図９に示すようにＭＬＳＳ計１２５にピストン８を接続し、ＭＬＳＳ計を上下動させる方法が考えられる。
【００９４】
また、図１０（ａ）（ｂ）に示すようにＭＬＳＳ計１２５に被処理水あるいは循環水を当てることで、ＭＬＳＳ計を振動させる方法も考えられる。
【００９５】
この場合は、ＭＬＳＳ計１２５を測定槽１１７に固定せずに吊るした状態で測定槽１１７に沈めておく必要がある。そうすることで流れを持った被処理水あるいは循環水がＭＬＳＳ計１２５に当たることでＭＬＳＳ計１２５を振動させることができる。
【００９６】
なお、ＭＬＳＳ計１２５を振動させることは相対的な水流を発生させてＭＬＳＳ計１２５の検知部に蛭が付着するのを防ぐだけではなく、力学的作用によりＭＬＳＳ計１２５の検知部に付着した蛭を剥離することもできる。
【００９７】
なお、ブロア１２６を運転するなどの強制的に水流を発生させる方法は常時実行するのではなく、ＭＬＳＳ計１２５の測定値から蛭が剥離できていないと判断した場合にのみ実行するようにすれば省エネ運転になる。
【００９８】
なお、本実施例にて記載したＭＬＳＳ計の誤測定防止方法はＭＬＳＳの測定のみに用いてもよい。
【産業上の利用可能性】
【００９９】
本発明による水質測定装置は、下水処理場、事業所等における有機排水処理施設の生物処理槽に対して適用することができる。
【図面の簡単な説明】
【０１００】
【図１】本発明の実施の形態１における水質測定装置を示す構成図
【図２】本発明の実施の形態１における制御装置の構成を示すブロック図
【図３】本発明の実施の形態１における制御装置の動作を示すフローチャート
【図４】本発明の実施の形態１における被処理水流入口の位置を示す構成図
【図５】本発明の実施の形態１における被処理水流入口の他の位置を示す構成図
【図６】本発明の実施の形態１における攪拌手段を示す構成図
【図７】本発明の実施の形態１における循環手段を示す構成図
【図８】本発明の実施の形態１における振動手段を示す構成図
【図９】本発明の実施の形態１における他の振動手段を示す構成図
【図１０】（ａ）（ｂ）本発明の実施の形態１における他の振動手段を示す構成図
【図１１】ある排水処理施設の被処理水のＭＬＳＳ、Ｒｒ、Ｋｒのトレンドグラフ
【図１２】測定槽が被処理水で満たされている時のＭＬＳＳ計の変化を示すグラフ
【図１３】従来の制御装置の構成を示すブロック図
【図１４】従来の制御装置の動作を示すフローチャート
【符号の説明】
【０１０１】
１      制御装置
２      ＭＬＳＳ計測定値記憶手段
３      酸素利用速度係数演算手段
４      導入管
５      ミキサ
６      循環ポンプ
７      モータ
８      ピストン
１０４  生物処理槽
１１４  水質測定装置
１１５  ポンプ
１１７  測定槽
１２４  溶存酸素濃度センサ
１２５  ＭＬＳＳ計
１２６  ブロア
１２７  散気管
１２８  供給管
１３０  被処理水導出入切換手段
１３１  溶存酸素濃度記憶手段
１３２  酸素利用速度演算手段
【図１】
2009080071.tif 000003
【図２】
2009080071.tif 000004
【図３】
2009080071.tif 000005
【図４】
2009080071.tif 000006
【図５】
2009080071.tif 000007
【図６】
2009080071.tif 000008
【図７】
2009080071.tif 000009
【図８】
2009080071.tif 000010
【図９】
2009080071.tif 000011
【図１０】
2009080071.tif 000012
【図１１】
2009080071.tif 000013
【図１２】
2009080071.tif 000014
【図１３】
2009080071.tif 000015
【図１４】
2009080071.tif 000016